(57)【特許請求の範囲】
【請求項１】
新聞紙面に掲載する少なくとも記事、画像、写真からなる複数の素材を各紙面に割り当て、前記割り当てられた素材を、操作端末を操作することによって前記紙面を構成している複数の紙面領域のうちの何れかに配置して紙面データを編集し、編集が完了した紙面データを降版することによって新聞紙面を制作する新聞紙面の制作システムにおいて、
前記各紙面領域および前記各素材のそれぞれについて、編集可能な前記操作端末を定義する定義手段と、
前記定義手段によって定義された操作端末を、対応する紙面領域および素材を編集可能なように設定することによって、前記対応する紙面領域および素材に関する編集権をこの操作端末に付与する編集権付与手段と、
前記編集権付与手段によって編集権を付与された操作端末が、別の操作端末にこの編集権を譲渡し、譲渡先の操作端末を、前記対応する紙面領域および素材を編集可能なように設定する編集権譲渡手段と
を備えた新聞紙面の制作システム。
【請求項２】
サーバと、前記サーバに接続された複数の操作端末と、前記サーバに接続された記憶装置とからなり、新聞紙面を電子的に制作する新聞紙面制作システムに適用される新聞紙面の制作方法であって、
前記サーバは、前記操作端末からの操作入力に応じて、前記新聞紙面に掲載する少なくとも記事、画像、写真からなる各素材、及び紙面領域のそれぞれについて、編集可能な前記操作端末を設定することによって、対応する素材及び紙面領域に関する編集権をこの操作端末に付与するとともに、前記編集権を付与された操作端末が、別の操作端末にこの編集権を譲渡する場合には、譲渡先の操作端末を、前記対応する素材及び紙面領域を編集可能なように設定し、前記編集権を付与された操作端末からの操作入力に従って、紙面領域へ素材を配置して紙面データを編集し、
前記記憶装置は、前記サーバによって編集された紙面データを格納し、
前記サーバは、編集が完了した紙面データを前記記憶装置から降版することによって新聞紙面を制作する新聞紙面の制作方法。
【請求項３】
少なくとも記事、画像、写真からなる複数の素材を新聞紙面上に配置することによってなされる新聞紙面の編集を許可する編集権を操作端末に付与するとともに、前記編集権を付与された操作端末が、この編集権を他の操作端末へ譲渡するための処理を行うコンピュータ読み取り可能なプログラムであって、
前記新聞紙面を構成している複数の紙面領域および素材のそれぞれについて、編集可能な前記操作端末を定義した定義情報を受け付ける受付機能、
前記定義情報で定義された操作端末を、対応する紙面領域および素材を編集可能なように設定することによって、前記対応する紙面領域および素材に関する編集権をこの操作端末に付与する編集権付与機能、
前記編集権を付与された操作端末が、別の操作端末にこの編集権を譲渡し、譲渡先の操作端末を、前記対応する紙面領域および素材を編集可能なように設定する編集権譲渡機能をコンピュータに実現させるための新聞紙面の編集権譲渡プログラム。
【発明の詳細な説明】
【０００１】
【発明の属する技術分野】
本発明は、主に新聞社や印刷会社において使用される新聞紙面の制作システムおよび制作方法、ならびに編集権譲渡プログラムに係り、さらに詳しくは、新聞紙面の編集を許可する編集権を操作端末に付与するとともに、編集権を付与された操作端末が、この編集権を他の操作端末へ譲渡する機能を備えた新聞紙面の制作システムおよび制作方法、ならびに編集権譲渡プログラムに関する。
【０００２】
【従来の技術】
従来、新聞紙面の制作は、図２９に示すようなシステム構成の新聞紙面制作システムを用いてなされている。このような新聞紙面制作システムは、記事入力／校正端末１と、記事サーバ２と、画像入力／加工端末３と、画像サーバ４と、組版端末５と、組版編集サーバ６と、紙面データ格納部７と、出力サーバ８と、プリンタ／プロッタ９とによって構成されている。
【０００３】
記事入力／校正端末１は、記事の入力および校正を行うための端末であり、オペレータによって記事情報が入力されると、入力された記事情報は、この記事入力／校正端末１によって記事サーバ２に出力される。また、この記事入力／校正端末１によって、記事サーバ２に蓄積されている記事情報が取得される。この取得された記事情報は、記事入力／校正端末１を介してなされるオペレータ操作によって校正がなされ、更に校正された記事情報は、記事入力／校正端末１から記事サーバ２に再び出力される。
【０００４】
記事サーバ２では、このようにして記事入力／校正端末１から入力された記事情報の他に、図示しない通信回線を経由して通信社などから入力された記事情報も送信される。この送信された記事情報もまた記事サーバ２に蓄積される。更に、記事入力／校正端末１からの校正要求に基づいて、蓄積している記事情報の中から、要求のあった記事情報は、記事サーバ２から記事入力／校正端末１へと出力される。更に、記事サーバ２に蓄積されている記事情報は、オペレータ指示に基づいて組版編集サーバ６に出力される。
【０００５】
スキャナやディスプレイ等が備えられている画像入力／加工端末３では、画像データの入力および画像データの加工が行われる。入力された画像データは、画像入力／加工端末３から画像サーバ４へと出力される。また、オペレータから入力された画像データの加工操作入力に基づいて画像データの加工が行われ、加工された画像データは、この画像入力／加工端末３から画像サーバ４へと出力される。
【０００６】
画像入力／加工端末３から出力された画像データは、画像サーバ４に蓄積される。また、画像サーバ４に蓄積されている画像データは、画像入力／加工端末３から要求があると、画像入力／加工端末３に出力される。また、オペレータから指示があった場合には、組版編集サーバ６に出力される。
【０００７】
組版端末５は、オペレータが、記事、画像、および見出しのレイアウト編集を行うための操作入力を行う端末であり、各オペレータに対して１台ずつ備えられている。各オペレータは、自己が操作担当する組版端末５を操作することによってレイアウト編集作業を行っている。図２９では、代表的に２台の組版端末５、すなわち組版端末５（＃ａ）と、組版端末５（＃ｂ）のみを示しているが、勿論２台に限るものではない。組版端末５に操作入力されて作成された操作情報は、組版編集サーバ６に出力される。
【０００８】
組版編集サーバ６では、組版端末５から出力された操作情報に基づいて、紙面データ７１の編集作業が行われる。そして、このように組版編集サーバ６で編集作業がなされた紙面データ７１は、紙面データ格納部７に格納される。また、一旦格納された紙面データ７１が再び組版編集サーバ６へと読み出され、再び編集作業が行われた後に紙面データ格納部７に格納されることも可能である。
【０００９】
図３０から図４０はこのような紙面Ｓ（１）の紙面データ７１（１）の一例を示すデータ構成図である。
【００１０】
すなわち、紙面データ７１（１）は、図３０に示すような管理情報と、図３１から図３９に示すような各素材情報と、図４０に示すような実データとからなっている。
【００１１】
管理情報は、図３０に示すように、掲載年月日７１ＫＮ（１）、面名７１ＭＮ（１）、版名７１ＨＮ（１）、印刷ページ番号７１ＰＧ（１）、体裁情報（組方向、段数、字詰、文字サイズ、段間、行間など）７１ＴＳ（１）、紙面Ｘ方向寸法７１ＰＸ（１）、紙面Ｙ方向寸法７１ＰＹ（１）の各データからなっている。
【００１２】
素材情報は、紙面への配置が検討されている全ての素材毎に存在するものである。したがって、例えば、記事ａ、記事ｂ、記事ｃ、画像ｄ、画像ｅ、小組ｇ、記事ｈ、記事ｉ、画像ｊの各素材情報の配置が検討されている紙面Ｓ（１）の場合においては、図３１から図３９に示すように、これら各素材毎に素材情報が存在する。
【００１３】
このような素材情報のデータ構成は、記事の場合、＃１素材情報（記事ａ）を対象とした図３１に示すように、素材種別７１ＳＢ（１＃１）、素材ＩＤ番号７１ＩＤ（１＃１）、配置情報７１ＬＴ（１＃１）、仮見出７１ＫＭ（１＃１）、記事のテキスト格納情報７１ＡＤ（１＃１）、記事のレイアウト済テキスト格納情報７１ＢＤ（１＃１）を持つ。
【００１４】
一方、画像の場合、＃４素材情報（画像ｄ）を対象とした図３４に示すように、記事のテキスト格納情報７１ＡＤに代えて画像の表示画の格納情報７１ＡＤ（１＃４）を、記事のレイアウト済テキスト格納情報７１ＢＤに代えて画像の実画像の格納情報７１ＢＤ（１＃４）を持つ。
【００１５】
実データは、図４０に示すように、＃ｎ素材情報毎の記事のテキスト７１ＴＸ（１＃ｎ）、レイアウト済テキスト７１ＬＸ（１＃ｎ）、画像の表示画データ７１ＨＩ（１＃ｎ）、画像の実画像データ７１ＲＩ（１＃ｎ）からなっている。
【００１６】
出力サーバ８では、組版端末５からの大刷／版下出力指示にしたがって、組版編集サーバ６から出力された紙面データ７１がドットデータに展開される。このように展開されたドットデータに基づいて、プリンタ／プロッタ９から大刷や版下が出力される。
【００１７】
そして、上述したように、紙面のレイアウトの編集は、オペレータが組版端末５を操作することによってなされている。このようにして各紙面のレイアウトの編集がなされる場合、通常、各紙面はそれぞれ１人のオペレータによってなされている。したがって、各組版端末５（＃ａ，＃ｂ，・・・）は、それぞれ別の紙面のレイアウトの編集作業を担当していることになり、２つ以上の組版端末５が同一紙面のレイアウトの編集作業を行うような場合は希である。
【００１８】
しかしながら、見開きページに該当する紙面や、あるいは締め切り時間が厳しい状態にある紙面については、２人以上のオペレータで共同して１つの紙面の編集作業を行わねばならない。この場合、２人以上のオペレータの操作する組版端末５は、同時に同一紙面のレイアウトの編集作業を行うことになる。図２９を例に説明すると、組版端末５（＃ａ）と、組版端末５（＃ｂ）とが同一紙面のレイアウト編集作業を行う場合があるということになる。
【００１９】
このような場合、従来の新聞紙面制作システムでは、各組版端末５は、自己が編集する紙面領域および素材を宣言し、紙面領域および素材毎に編集可能な組版端末５を定義した宣言テーブルを組版編集サーバ６に登録することによって編集権を得、複数の組版端末５による同一紙面のレイアウト作業がなされている。
【００２０】
このように、紙面領域あるいは素材に関する編集権を、宣言テーブルによって定義された組版端末５に付与し、編集可能とすることによって、他の組版端末５によって編集されている紙面領域や素材を、誤って編集したりするような誤操作が阻止されている。
【００２１】
【発明が解決しようとする課題】
しかしながら、このような従来の新聞紙面制作システムには、以下のような問題がある。
【００２２】
すなわち、上述したような見開きページに該当する紙面や、締め切り時間が厳しい状態にある紙面については、担当するオペレータ、すなわち編集操作する組版端末５を頻繁に変更する場合が多い。また、複数のオペレータによってなされていた編集作業の最終段階において、１人のオペレータが全体のバランスや見栄えを考慮して最終編集を行う場合もある。
【００２３】
上述したように、紙面領域や素材を組版端末５が編集するためには、宣言テーブルを組版編集サーバ６に登録し、編集権を取得しなければならない。しかしながら、編集しようとしている紙面領域や素材が、既に他の組版端末５によって登録された宣言テーブルに定義されたままである場合、他の組版端末５は、この紙面領域や素材の編集権を取得することはできない。
【００２４】
そのため、各オペレータは、これまで編集していた紙面領域や素材を、他の組版端末５を操作する別のオペレータに引き渡す場合には、組版編集サーバ６に登録してあった宣言テーブルの内容をクリアし、編集権をいったん放棄しなくてはならない。
【００２５】
しかしながら、同一紙面を複数オペレータによって編集すること自体が通常のルーチンではないために、このような編集権の放棄手続は、しばしば忘れられてしまう。このため、紙面領域や素材の編集作業を引き継ぐオペレータは、この紙面領域や素材の編集権が、前任オペレータによって依然として取得された状態となっているために、編集権を取得することができず、編集作業に着手することさえできないという問題がある。
【００２６】
本発明はこのような事情に鑑みてなされたものであり、紙面のレイアウト編集作業が複数の組版端末によって共同してなされている場合、各組版端末は、自己が取得していた編集権を他の組版端末に譲渡できるようにし、もって、編集を担当する組版端末が変更になる場合であっても、スムーズに編集作業を行うことを可能とする新聞紙面の制作システムおよび制作方法、ならびに編集権譲渡プログラムを提供することを目的とする。
【００２７】
【課題を解決するための手段】
上記の目的を達成するために、本発明では、以下のような手段を講じる。
【００２９】
すなわち、請求項１の発明は、新聞紙面に掲載する少なくとも記事、画像、写真からなる複数の素材を各紙面に割り当て、割り当てられた素材を、操作端末を操作することによって紙面を構成している複数の紙面領域のうちの何れかに配置して紙面データを編集し、編集が完了した紙面データを降版することによって新聞紙面を制作する新聞紙面の制作システムにおいて、各紙面領域および各素材のそれぞれについて、編集可能な操作端末を定義する定義手段と、定義手段によって定義された操作端末を、対応する紙面領域および素材を編集可能なように設定することによって、対応する紙面領域および素材に関する編集権をこの操作端末に付与する編集権付与手段と、編集権付与手段によって編集権を付与された操作端末が、別の操作端末にこの編集権を譲渡し、譲渡先の操作端末を、対応する紙面領域および素材を編集可能なように設定する編集権譲渡手段とを備えている。
【００３１】
請求項２の発明は、サーバと、サーバに接続された複数の操作端末と、サーバに接続された記憶装置とからなり、新聞紙面を電子的に制作する新聞紙面制作システムに適用される新聞紙面の制作方法であって、サーバは、操作端末からの操作入力に応じて、新聞紙面に掲載する少なくとも記事、画像、写真からなる各素材、及び紙面領域のそれぞれについて、編集可能な操作端末を設定することによって、対応する素材及び紙面領域に関する編集権をこの操作端末に付与するとともに、編集権を付与された操作端末が、別の操作端末にこの編集権を譲渡する場合には、譲渡先の操作端末を、対応する素材及び紙面領域を編集可能なように設定し、編集権を付与された操作端末からの操作入力に従って、紙面領域へ素材を配置して紙面データを編集し、記憶装置は、前記サーバによって編集された紙面データを格納し、サーバは、編集が完了した紙面データを記憶装置から降版することによって新聞紙面を制作する。
【００３３】
請求項３の発明は、少なくとも記事、画像、写真からなる複数の素材を新聞紙面上に配置することによってなされる新聞紙面の編集を許可する編集権を操作端末に付与するとともに、編集権を付与された操作端末が、この編集権を他の操作端末へ譲渡するための処理を行うコンピュータ読み取り可能なプログラムであって、新聞紙面を構成している複数の紙面領域および素材のそれぞれについて、編集可能な操作端末を定義した定義情報を受け付ける受付機能、定義情報で定義された操作端末を、対応する紙面領域および素材を編集可能なように設定することによって、対応する紙面領域および素材に関する編集権をこの操作端末に付与する編集権付与機能、編集権を付与された操作端末が、別の操作端末にこの編集権を譲渡し、譲渡先の操作端末を、対応する紙面領域および素材を編集可能なように設定する編集権譲渡機能をコンピュータに実現させるための新聞紙面の編集権譲渡プログラムである。
【００３４】
従って、請求項１乃至３の発明では、以上のような手段を講じることにより、紙面のレイアウト編集作業が複数の操作端末によって共同してなされている場合、各操作端末は、自己が取得していた編集権を他の操作端末に譲渡することができる。
【００３５】
その結果、編集を担当する操作端末が頻繁に変更になるような場合であっても、スムーズに編集作業を行うことが可能となる。
【００３６】
【発明の実施の形態】
以下に、本発明の実施の形態について図面を参照しながら説明する。
【００３７】
なお、以下の本発明の実施の形態の説明に用いる図中の符号は、図２９から図４０と同一部分については同一符号を付す。
【００３８】
本発明の実施の形態を図１から図２８を用いて説明する。
【００３９】
図１は、本発明の実施の形態に係る新聞紙面の制作方法を適用した新聞紙面制作システムの構成例を示す機能ブロック図である。
【００４０】
すなわち、本発明の実施の形態に係る新聞紙面の制作方法を適用した新聞紙面制作システムは、例えば磁気ディスク等の記憶媒体に記憶された編集権譲渡プログラムを読み込み、この編集権譲渡プログラムによって動作が制御されるコンピュータによって実現されるものであって、図２９に示す従来技術の新聞紙面制作システムと同様、記事入力／校正端末１と、記事サーバ２と、画像入力／加工端末３と、画像サーバ４と、組版端末５と、組版編集サーバ６と、紙面データ格納部７と、出力サーバ８と、プリンタ／プロッタ９とを備えているが、組版端末５が作業用紙面データ５１を保持し、レイアウト処理部５０を付加した構成としている。また、組版編集サーバ６が、素材編集権登録テーブル６１と紙面領域編集権登録テーブル６２とを保持する構成としている。したがって、ここでは、図２９と同一部分については同一符号を付してその説明を省略し、異なる部分についてのみ述べる。
【００４１】
組版端末５に備えられたレイアウト処理部５０は、図２から図５のフローチャートに示すように動作し、紙面データ７１に基づく素材編集権登録テーブル６１の作成、紙面データ７１に基づく紙面領域編集権登録テーブル６２の作成、紙面データ７１の更新、紙面領域編集権登録テーブル６２に基づく紙面レイアウト状況の表示、紙面領域編集権登録テーブル６２に基づく紙面レイアウト状況の定期表示を行う。
【００４２】
組版編集サーバ６に保持される素材編集権登録テーブル６１は、図６に示すように、各紙面Ｓ（ｍ）毎に配置される素材情報（＃ｎ）毎に、この素材情報（＃ｎ）の「編集権を持つ組版端末５の端末ＩＤ番号」６１ＲＶが書き込まれたデータテーブルである。図６は、紙面Ｓ（１）についての素材編集権登録テーブル６１（１）の一例であり、各素材情報（＃ｎ）毎の素材種別６１ＳＢ（１＃ｎ）、素材ＩＤ番号６１ＩＤ（１＃ｎ）、「編集権を持つ組版端末の端末ＩＤ番号」６１ＲＶ（１＃ｎ）から構成している。
【００４３】
また、組版編集サーバ６に保持される紙面領域編集権登録テーブル６２は、図７に示すように、各紙面Ｓ（ｍ）毎の紙面領域（＃ｐ）毎に、この紙面領域（＃ｐ）の「編集権を持つ組版端末５の端末ＩＤ番号」６２ＲＶが書き込まれたデータテーブルである。図７は、紙面Ｓ（１）についての紙面領域編集権登録テーブル６２（１）の一例であり、各紙面領域（＃ｐ）毎の領域対角線始点Ｘ座標６２ＳＸ（１＃ｐ）、領域対角線始点Ｙ座標６２ＳＹ（１＃ｐ）、領域対角線終点Ｘ座標６２ＥＸ（１＃ｐ）、領域対角線終点Ｙ座標６２ＥＹ（１＃ｐ）、「編集権を持つ組版端末の端末ＩＤ番号」６２ＲＶ（１＃ｐ）から構成している。
【００４４】
また、レイアウト処理部５０は、図８から図１４のフローチャートに示すように動作することによって、素材編集権登録テーブル６１および紙面領域編集権登録テーブル６２に一旦登録された編集権を、他の組版端末５に譲渡する処理を行う。
【００４５】
次に、以上のように構成した本発明の実施の形態に係る新聞紙面の制作方法を適用した新聞紙面制作システムの動作について、図２から図５、および図８から図１４に示すフローチャートを用いて説明する。
【００４６】
まず、図２に示すフローチャートを用いて、レイアウト処理部５０によってなされる素材編集権登録テーブル６１の作成時における動作について説明する。
【００４７】
素材編集権登録テーブル６１が作成される場合には、組版端末５に備えられたレイアウト処理部５０によって、紙面データ格納部７に格納されている紙面データ７１が読み込まれる（Ｓ１）。そして、この読み込まれた紙面データ７１に含まれる素材情報（＃ｎ）のうち、素材編集権登録テーブル６１に未だ登録されていない素材情報（＃ｎ）のみが組版端末５の画面上に表示される（Ｓ２）。
【００４８】
そして、オペレータによって、この画面表示された素材情報（＃ｎ）のうちの何れかが、このオペレータの操作する組版端末５がその編集権を有する組版端末として指定された場合（Ｓ３：Ｙｅｓ）には、この素材情報（＃ｎ）の「編集権をもつ組版端末の端末ＩＤ番号」６１ＲＶ（１＃ｎ）の、素材編集権登録テーブル６１への登録操作がなされる（Ｓ４）。
【００４９】
このようにして素材編集権登録テーブル６１への「編集権をもつ組版端末の端末ＩＤ番号」６１ＲＶ（１＃ｎ）の登録がなされる（Ｓ５：Ｙｅｓ）と、紙面領域編集権登録テーブル６２の作成を完了する。登録指定した素材情報（＃ｎ）が既に他の組版端末５によって編集権登録がなされている場合（Ｓ５：Ｎｏ）には、登録はなされずエラーメッセージによってその旨が分かるように表示される（Ｓ６）。
【００５０】
次に、図３に示すフローチャートを用いて、レイアウト処理部５０によってなされる紙面領域編集権登録テーブル６２の作成時における動作について説明する。
【００５１】
紙面領域編集権登録テーブル６２が作成される場合には、組版端末５に備えられたレイアウト処理部５０によって、紙面データ格納部７に格納されている紙面データ７１が読み込まれる（Ｓ１１）。次に、組版編集サーバ６に保持されている紙面領域編集権登録テーブル６２がレイアウト処理部５０に読み込まれる。なお、紙面領域編集権登録テーブル６２が組版編集サーバ６に保持されていない場合には、紙面領域編集権登録テーブル６２が初期化され、作成される（Ｓ１２）。
【００５２】
そして、ステップＳ１２で読み込まれた、あるいは初期化された紙面領域編集権登録テーブル６２がレイアウト処理部５０から表示されることによって、紙面領域における編集権の設定状況がオペレータによって認識される（Ｓ１３）。オペレータが紙面領域の指定を行う場合（Ｓ１４：Ｙｅｓ）には、ステップＳ１３において表示された内容に基づいて、所望する紙面領域の端末ＩＤ番号６２ＲＶに、自己の組版端末５の端末ＩＤ番号を入力することによって紙面領域の指定を行う（Ｓ１５）。
【００５３】
そして、ステップＳ１５で指定された紙面領域が、既に他の組版端末５によって編集権登録がなされている紙面領域と重なる場合（Ｓ１６：Ｙｅｓ）には、登録はなされずエラーメッセージによってその旨が分かるように表示される（Ｓ１７）。一方、ステップＳ１５で指定された紙面領域が、未だに何れの組版端末５からも編集権登録がなされていない場合（Ｓ１６：Ｎｏ）には、ステップＳ１５で入力された端末ＩＤ番号が、紙面領域編集権登録テーブル６２の該当する紙面領域（＃ｒ）の「編集権を持つ端末の端末ＩＤ番号」６２ＲＶ（＃ｒ）として登録される（Ｓ１８）。
【００５４】
次に、図４に示すフローチャートを用いて、レイアウト処理部５０によってなされる素材情報の紙面への配置作業時における動作について説明する。
【００５５】
オペレータがレイアウト処理部５０を操作することによって行う素材の紙面上への配置操作は、先ず、オペレータがレイアウト処理部５０に配置コマンドを入力する（Ｓ２１：Ｙｅｓ）ことによって操作可能な状態となる。このようにしてレイアウト処理部５０に配置コマンドが入力されると、素材編集権登録テーブル６１および紙面領域編集権登録テーブル６２が参照され、オペレータは、自己の組版端末５を介して、このレイアウト処理部５０が属する組版端末５の端末ＩＤ番号６２ＲＶによって編集権が指定された紙面領域（＃ｒ）に、素材編集権登録テーブル６１において編集権が指定されている素材を配置することが可能となる。オペレータが、自己の組版端末５を操作することによって、編集権が指定された紙面領域（＃ｒ）に、編集権が指定されている素材を配置することによって紙面のレイアウト作業を行う（Ｓ２２）と、対応する紙面Ｓ（ｍ）の紙面データ７１（ｍ）の内容が更新され（Ｓ２３）、更に、当該組版端末５によって素材が配置された内容に基づいて紙面レイアウト状況が表示される（Ｓ２４）。
【００５６】
更に、図５に示すフローチャートを用いて、複数の組版端末５によってレイアウト処理がなされた紙面のレイアウト表示時における動作について説明する。
【００５７】
複数の組版端末５によってレイアウトがなされた紙面のレイアウト表示を行う場合には、レイアウト処理部５０によって、紙面データ格納部７から対応紙面の紙面データ７１が（Ｓ３１）、更に組版編集サーバ６から紙面領域編集権登録テーブル６２が（Ｓ３２）それぞれ読み込まれる。
【００５８】
そして、要求元の組版端末５上からは、ステップＳ３１において読み込まれた紙面データ７１に基づいて、対応紙面のレイアウト状態が図１５にその一例を示すようにして表示される（Ｓ３３）。例えば、要求元の組版端末が組版端末５（＃ａ）である場合には、紙面領域編集権登録テーブル６２で指定された使用領域に基づいて、自己の組版端末５（＃ａ）が編集権を有する紙面領域と、他の組版端末（例えば、組版端末５（＃ｂ））が編集権を有する紙面領域とが区別可能なように表示される。図１５に示す例では、図中太線枠で囲まれた領域が自己の組版端末５（＃ａ）が編集権を有する紙面領域であり、図中点線枠で囲まれた領域が他の組版端末５（＃ｂ）が編集権を有する紙面領域である。
【００５９】
このようにして、複数の組版端末５によってレイアウト処理された紙面のレイアウト状態を自己の組版端末５（＃ａ）上から表示することができるが、他の組版端末５（＃ｂ）によって編集された紙面領域については、編集権を有していないために編集操作をすることができない。
【００６０】
なお、図５のフローチャートに示すような動作を、予め定めた所定周期毎にレイアウト処理部５０に実行させることによって、複数の組版端末５によってレイアウト処理がなされている紙面のレイアウトは、組版端末５の表示画面から定期的に表示される。
【００６１】
次に、図８から図１４のフローチャートを用いて、レイアウト処理部５０によってなされる編集権の譲渡時における動作について説明する。
【００６２】
まず、図８のフローチャートを用いて、素材情報に関するデータの作業用紙面データ５１への書き込み時における動作について説明する。
【００６３】
オペレータがレイアウト処理部５０を操作することによって行う素材情報に関するデータの作業用紙面データ５１への書き込み操作は、先ず、オペレータがレイアウト処理部５０に編集権宣言コマンドを入力する（Ｓ４１：Ｙｅｓ）ことによってなされる。このようにしてレイアウト処理部５０に編集権宣言コマンドが入力されると、組版編集サーバ６に保持されている素材編集権登録テーブル６１がコマンド入力元の組版端末５に読み込まれる（Ｓ４２）。
【００６４】
そして、対象とする素材情報が素材編集権登録テーブル６１に既に登録済である場合（Ｓ４３：Ｙｅｓ）には、この対象素材情報が既に登録済である旨のメッセージが組版端末５に表示される（Ｓ４４）。一方、未登録である場合（Ｓ４３：Ｎｏ）には、素材編集権登録テーブル６１内の対象素材情報の「編集権を持つ組版端末の端末ＩＤ番号」６１ＲＶに、コマンド入力元の組版端末５の端末ＩＤ番号が書き込まれる（Ｓ４５）。そして、この素材情報の紙面データ７１が、コマンド入力元の組版端末５の作業用紙面データ５１に書き込まれる（Ｓ４６）。
【００６５】
作業用紙面データ５１のデータ構成は、紙面データ７１のデータ構成と同様であり、管理情報と、各素材情報と、実データとからなっている。仮に、組版端末５（＃ａ）が、記事ａ、記事ｂ、画像ｄ、画像ｅについて編集権宣言をした場合、組版端末５（＃ａ）には、図１６に示す管理情報、図１７から図２０に示す各素材情報（記事ａ、記事ｂ、画像ｄ、画像ｅ）、図２１に示す実データからなる作業用紙面データ５１（＃ａ）が作成される。また、仮に、組版端末５（＃ｂ）が、記事ｃ、小組ｇ、記事ｈ、記事ｉ、画像ｊについて編集権宣言をした場合、組版端末５（＃ｂ）には、図２２に示す管理情報、図２３から図２７に示す各素材情報（記事ｃ、小組ｇ、記事ｈ、記事ｉ、画像ｊ）、図２８に示す実データからなる作業用紙面データ５１（＃ｂ）が作成される。
【００６６】
一方、ステップＳ４１で入力されたコマンドが素材情報の編集権宣言コマンドではなく（Ｓ４１：Ｎｏ）、編集権開放宣言コマンドであった場合（Ｓ５１：Ｙｅｓ）には、図９のフローチャートに示すように、素材情報の編集権開放処理がなされる。
【００６７】
この場合、まず、素材編集権登録テーブル６１内の対象素材情報の「編集権を持つ組版端末５の端末ＩＤ番号」６１ＲＶの端末ＩＤ番号と一致する素材情報が探索される（Ｓ５２）。次に、素材編集権登録テーブル６１内の対象素材情報の「編集権を持つ組版端末の端末ＩＤ番号」６１ＲＶがクリアされ（Ｓ５３）、作業用紙面データ５１の対象素材情報のデータが紙面データ７１に書き込まれる（Ｓ５４）。そして、作業用紙面データ５１内の対象素材情報のデータがクリアされ、素材情報の編集権が開放される（Ｓ５５）。
【００６８】
一方、ステップＳ４１で入力されたコマンドが、素材情報の編集権宣言コマンドでも編集権開放宣言コマンドでもなく（Ｓ４１：Ｎｏ）（Ｓ５１：Ｎｏ）、編集権譲渡コマンドである場合（Ｓ６１：Ｙｅｓ）には、図１０のフローチャートに示すように、素材情報の編集権譲渡処理がなされる。
【００６９】
この場合、まず、素材編集権登録テーブル６１内の対象素材情報の素材ＩＤ番号６１ＩＤと一致する素材情報が探索される（Ｓ６２）。次に、素材編集権登録テーブル６１内の対象素材情報の「編集権を持つ組版端末の端末ＩＤ番号」６１ＲＶが、譲渡先の組版端末５の端末ＩＤ番号に変更される（Ｓ６３）。そして、作業用紙面データ５１の対象素材情報のデータが紙面データ７１に書き込まれ（Ｓ６４）、作業用紙面データ５１内の対象素材情報のデータがクリアされ（Ｓ６５）、しかる後に譲渡先の組版端末５に対して素材編集権譲渡の通知がなされることによって素材情報の編集権譲渡処理がなされる（Ｓ６６）。
【００７０】
一方、ステップＳ４１で入力されたコマンドが、素材情報の編集権宣言コマンドでも、編集権開放宣言コマンドでも、編集権譲渡コマンドでもなく（Ｓ４１：Ｎｏ）（Ｓ５１：Ｎｏ）（Ｓ６１：Ｎｏ）、紙面領域の編集権宣言コマンドである場合（Ｓ７１：Ｙｅｓ）には、図１１のフローチャートに示すように、紙面領域の編集権の取得処理がなされる。
【００７１】
この場合、まず、指定された紙面領域が紙面領域編集権登録テーブル６２の紙面領域と重なるかが調べられる（Ｓ７２）。そして、指定された紙面領域が紙面領域編集権登録テーブル６２の紙面領域と重なる場合（Ｓ７３：Ｙｅｓ）には、指定された紙面領域を占有することができない旨の警告メッセージが組版端末５に表示されることによってこの組版端末５を操作するオペレータに通知される（Ｓ７４）。
【００７２】
また、指定された紙面領域が紙面領域編集権登録テーブル６２の紙面領域と重ならない場合（Ｓ７３：Ｎｏ）には、紙面領域編集権登録テーブル６２に、指定紙面領域の対角線座標（領域対角線始点Ｘ座標６２ＳＸ、領域対角線始点Ｙ座標６２ＳＹ、領域対角線終点Ｘ座標６２ＥＸ、領域対角線終点Ｙ座標６２ＥＹ）、および「編集権を持つ組版端末５の端末ＩＤ番号」６２ＲＶが登録されることによって紙面領域の編集権の取得処理がなされる（Ｓ７５）。
【００７３】
一方、ステップＳ４１で入力されたコマンドが、素材情報の編集権宣言コマンドでも、編集権開放宣言コマンドでも、編集権譲渡コマンドでも、紙面領域の編集権宣言コマンドでもなく（Ｓ４１：Ｎｏ）（Ｓ５１：Ｎｏ）（Ｓ６１：Ｎｏ）（Ｓ７１：Ｎｏ）、紙面領域の編集権開放宣言コマンドである場合（Ｓ８１：Ｙｅｓ）には、図１２のフローチャートに示すように、紙面領域の編集権の開放処理がなされる。
【００７４】
この場合、まず、紙面領域編集権登録テーブル６２内の対象紙面領域の「編集権を持つ組版端末５の端末ＩＤ番号」６２ＲＶの端末ＩＤ番号と一致する素材情報が探索される（Ｓ８２）。次に、紙面領域編集権登録テーブル６２内の対象紙面領域の「編集権を持つ組版端末の端末ＩＤ番号」６２ＲＶがクリアされ（Ｓ８３）、作業用紙面データ５１の対象素材情報のデータが紙面データ７１に書き込まれる（Ｓ８４）。そして、作業用紙面データ５１内の対象素材情報のデータがクリアされ、素材情報の編集権が開放される（Ｓ５５）。
【００７５】
一方、ステップＳ４１で入力されたコマンドが、素材情報の編集権宣言コマンドでも、編集権開放宣言コマンドでも、編集権譲渡コマンドでも、紙面領域の編集権宣言コマンドでも、紙面領域の編集権開放宣言コマンドでもなく（Ｓ４１：Ｎｏ）（Ｓ５１：Ｎｏ）（Ｓ６１：Ｎｏ）（Ｓ７１：Ｎｏ）（Ｓ８１：Ｎｏ）、紙面領域の編集権譲渡コマンドである場合（Ｓ９１：Ｙｅｓ）には、図１３のフローチャートに示すように、紙面領域の編集権の譲渡処理がなされる。
【００７６】
この場合、まず、紙面領域編集権登録テーブル６２内の対象紙面領域の「編集権を持つ組版端末５の端末ＩＤ番号」６２ＲＶが、譲渡先の端末ＩＤ番号に変更される（Ｓ９２）。次に、譲渡先の組版端末５に対して紙面領域の譲渡がなされた旨の通知がなされることによって、紙面領域の編集権の譲渡処理が完了する（Ｓ９３）。
【００７７】
一方、ステップＳ４１で入力されたコマンドが、素材情報の編集権宣言コマンドでも、編集権開放宣言コマンドでも、編集権譲渡コマンドでも、紙面領域の編集権宣言コマンドでも、紙面領域の編集権開放宣言コマンドでも、紙面領域の編集権譲渡コマンドでもなく（Ｓ４１：Ｎｏ）（Ｓ５１：Ｎｏ）（Ｓ６１：Ｎｏ）（Ｓ７１：Ｎｏ）（Ｓ８１：Ｎｏ）（Ｓ９１：Ｎｏ）、レイアウト処理コマンドである場合（Ｓ１０１：Ｙｅｓ）には、図１４に示すように、組版編集サーバ６に保持されている紙面領域編集権登録テーブル６２がコマンド入力元の組版端末５に読み込まれる（Ｓ１０２）。
【００７８】
次に、紙面領域編集権登録テーブル６２に登録された紙面領域が、非レイアウト紙面領域として追加された（Ｓ１０３）後に、紙面Ｓのレイアウト処理が実行される（Ｓ１０４）。また、ステップＳ１０１において、レイアウト処理コマンドでない場合（Ｓ１０１：Ｎｏ）には、コマンドに対応したレイアウト処理が実行される（Ｓ１０５）。
【００７９】
このようにして、紙面Ｓを構成している各紙面領域は、それぞれ編集権登録をしている組版端末５によってレイアウト処理がなされる。
【００８０】
なお、本発明の実施の形態に係る新聞紙面の制作方法を適用した新聞紙面制作システムは、記憶媒体に格納した編集権譲渡プログラムをコンピュータに読み込ませることで実現させることができる。
【００８１】
ここで本発明における記憶媒体としては、磁気ディスク、フロッピー（登録商標）ディスク、ハードディスク、光ディスク（ＣＤ−ＲＯＭ、ＤＶＤ等）、光磁気ディスク（ＭＯ等）、半導体メモリ等、プログラムを記憶でき、かつコンピュータが読み取り可能な記憶媒体であれば、その記憶形式は何れの形態であってもよい。
【００８２】
また、記憶媒体からコンピュータにインストールされた編集権譲渡プログラムの指示に基づきコンピュータ上で稼働しているＯＳ（オペレーティングシステム）や、データベース管理ソフト、ネットワークソフト等のＭＷ（ミドルウェア）等が本発明の実施の形態を実現するための各処理の一部を実行してもよい。
【００８３】
さらに、本発明における記憶媒体は、コンピュータと独立した媒体に限らず、ＬＡＮやインターネット等により伝送された編集権譲渡プログラムをダウンロードして記憶又は一時記憶した記憶媒体も含まれる。
【００８４】
また、記憶媒体は１つに限らず、複数の媒体から本発明の実施の形態における処理が実行される場合も本発明における記憶媒体に含まれ、媒体構成は何らの構成であってもよい。
【００８５】
なお、本発明におけるコンピュータは、記憶媒体に記憶された編集権譲渡プログラムに基づき、本発明の実施の形態における各処理を実行するものであって、パソコン等の１つからなる装置、複数の装置がネットワーク接続されたシステム等の何れの構成であってもよい。
【００８６】
また、本発明におけるコンピュータとは、パソコンに限らず、情報処理機器に含まれる演算処理装置、マイコン等も含み、プログラムによって本発明の機能を実現することが可能な機器、装置を総称している。
【００８７】
上述したように、本発明の実施の形態に係る新聞紙面の制作方法を適用した新聞紙面制作システムにおいては、紙面領域編集権登録テーブル６２に、編集権を有する組版端末５を紙面領域毎に登録しておき、この紙面領域編集権登録テーブル６２と紙面データ７１とに基づくことによって、同一紙面が例えば組版端末５（＃ａ）と組版端末５（＃ｂ）とのように複数の組版端末５で共同して編集することができる。この場合、組版端末５（＃ａ）から表示した例である図１５に示すように、自己の組版端末５（＃ａ）が編集権を有する紙面領域と、他の組版端末５（＃ｂ）が編集権を有する紙面領域とを識別可能なように表示することができる。
【００８８】
したがって、オペレータは、図１５に示すような表示画面を参照することによって、図中太枠で示すように自己の組版端末５（＃ａ）によって編集されたレイアウト処理のみならず、図中点線枠で示すように他の組版端末５（＃ｂ）によってなされたレイアウト処理をも合わせて、この紙面の全体レイアウト状況を容易に把握することが可能となる。
【００８９】
この場合、他の組版端末５（＃ｂ）によって編集された紙面領域は、紙面領域編集権登録テーブル６２において使用可能な組版端末として組版端末５（＃ｂ）が登録され、他の組版端末５（＃ａ）からの操作要求は受け付けないようになっているので、組版端末５（＃ａ）からの編集処理はできず、誤って組版端末５（＃ｂ）によって編集処理された内容を書き換えるようなことは無い。
【００９０】
更に、ある組版端末５から、別の組版端末５へと編集権を直接譲渡することができる。これによって、紙面Ｓのレイアウト編集作業が複数の組版端末５によって共同してなされている場合に、編集を担当する組版端末５が変更になるような場合であっても、スムーズに編集作業を行うことが可能となる。
【００９１】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００９２】
【発明の効果】
以上説明したように、本発明によれば、紙面のレイアウト編集作業が複数の組版端末によって共同してなされている場合、各組版端末は、自己が取得していた編集権を他の組版端末に譲渡することができる。
【００９３】
以上により、編集を担当する組版端末が変更になる場合であっても、スムーズに編集作業を行うことが可能な新聞紙面の制作システムおよび制作方法、ならびに編集権譲渡プログラムを提供することができる。
【図面の簡単な説明】
【図１】本発明の実施の形態に係る新聞紙面の制作方法を適用した新聞紙面制作システムの構成例を示す機能ブロック図
【図２】素材編集権登録テーブルの作成時における動作を示すフローチャート
【図３】紙面領域編集権登録テーブルの作成時における動作を示すフローチャート
【図４】素材情報の紙面への配置作業時における動作を示すフローチャート
【図５】複数の組版端末によってレイアウト処理がなされた紙面のレイアウト表示時における動作を示すフローチャート
【図６】素材編集権登録テーブルの一例を示すデータ構成図
【図７】紙面領域編集権登録テーブルの一例を示すデータ構成図
【図８】素材情報に関するデータの作業用紙面データへの書き込み時における動作を示すフローチャート
【図９】素材情報の編集権開放処理時における動作を示すフローチャート
【図１０】素材情報の編集権譲渡処理時における動作を示すフローチャート
【図１１】紙面領域の編集権取得処理時における動作を示すフローチャート
【図１２】紙面領域の編集権開放処理時における動作を示すフローチャート
【図１３】紙面領域の編集権譲渡処理時における動作を示すフローチャート
【図１４】紙面領域のレイアウト処理時における動作を示すフローチャート
【図１５】組版端末から表示される紙面のレイアウト状態の一例を示す模式図
【図１６】作業用紙面データの管理情報の一例を示すデータ構成図（組版端末５１（＃ａ））
【図１７】作業用紙面データの＃１素材情報（記事ａの場合）の一例を示すデータ構成図（組版端末５１（＃ａ））
【図１８】作業用紙面データの＃２素材情報（記事ｂの場合）の一例を示すデータ構成図（組版端末５１（＃ａ））
【図１９】作業用紙面データの＃３素材情報（画像ｄの場合）の一例を示すデータ構成図（組版端末５１（＃ａ））
【図２０】作業用紙面データの＃４素材情報（画像ｅの場合）の一例を示すデータ構成図（組版端末５１（＃ａ））
【図２１】作業用紙面データの実データの一例を示すデータ構成図（組版端末５１（＃ａ））
【図２２】作業用紙面データの管理情報の一例を示すデータ構成図（組版端末５１（＃ｂ））
【図２３】作業用紙面データの＃１素材情報（記事ｃの場合）の一例を示すデータ構成図組版端末５１（＃ｂ））
【図２４】作業用紙面データの＃２素材情報（小組ｇの場合）の一例を示すデータ構成図組版端末５１（＃ｂ））
【図２５】作業用紙面データの＃３素材情報（記事ｈの場合）の一例を示すデータ構成図組版端末５１（＃ｂ））
【図２６】作業用紙面データの＃４素材情報（記事ｉの場合）の一例を示すデータ構成図組版端末５１（＃ｂ））
【図２７】作業用紙面データの＃５素材情報（画像ｊの場合）の一例を示すデータ構成図組版端末５１（＃ｂ））
【図２８】作業用紙面データの実データの一例を示すデータ構成図
【図２９】従来技術による新聞紙面制作システムを示す機能構成図
【図３０】紙面データの管理情報の一例を示すデータ構成図
【図３１】紙面データの＃１素材情報（記事ａの場合）の一例を示すデータ構成図
【図３２】紙面データの＃２素材情報（記事ｂの場合）の一例を示すデータ構成図
【図３３】紙面データの＃３素材情報（記事ｃの場合）の一例を示すデータ構成図
【図３４】紙面データの＃４素材情報（画像ｄの場合）の一例を示すデータ構成図
【図３５】紙面データの＃５素材情報（画像ｅの場合）の一例を示すデータ構成図
【図３６】紙面データの＃６素材情報（小組ｇの場合）の一例を示すデータ構成図
【図３７】紙面データの＃７素材情報（記事ｈの場合）の一例を示すデータ構成図
【図３８】紙面データの＃８素材情報（記事ｉの場合）の一例を示すデータ構成図
【図３９】紙面データの＃９素材情報（画像ｊの場合）の一例を示すデータ構成図
【図４０】紙面データの実データの一例を示すデータ構成図
【符号の説明】
１…記事入力／校正端末
２…記事サーバ
３…画像入力／加工端末
４…画像サーバ
５…組版端末
６…組版編集サーバ
７…紙面データ格納部
８…出力サーバ
９…プリンタ／プロッタ
５０…レイアウト処理部
５１…作業用紙面データ
６１…素材編集権登録テーブル
６２…紙面領域編集権登録テーブル
７１…紙面データ
【図１】
0003954427.tif 000002
【図２】
0003954427.tif 000003
【図３】
0003954427.tif 000004
【図４】
0003954427.tif 000005
【図５】
0003954427.tif 000006
【図６】
0003954427.tif 000007
【図７】
0003954427.tif 000008
【図８】
0003954427.tif 000009
【図９】
0003954427.tif 000010
【図１０】
0003954427.tif 000011
【図１１】
0003954427.tif 000012
【図１２】
0003954427.tif 000013
【図１３】
0003954427.tif 000014
【図１４】
0003954427.tif 000015
【図１５】
0003954427.tif 000016
【図１６】
0003954427.tif 000017
【図１７】
0003954427.tif 000018
【図１８】
0003954427.tif 000019
【図１９】
0003954427.tif 000020
【図２０】
0003954427.tif 000021
【図２１】
0003954427.tif 000022
【図２２】
0003954427.tif 000023
【図２３】
0003954427.tif 000024
【図２４】
0003954427.tif 000025
【図２５】
0003954427.tif 000026
【図２６】
0003954427.tif 000027
【図２７】
0003954427.tif 000028
【図２８】
0003954427.tif 000029
【図２９】
0003954427.tif 000030
【図３０】
0003954427.tif 000031
【図３１】
0003954427.tif 000032
【図３２】
0003954427.tif 000033
【図３３】
0003954427.tif 000034
【図３４】
0003954427.tif 000035
【図３５】
0003954427.tif 000036
【図３６】
0003954427.tif 000037
【図３７】
0003954427.tif 000038
【図３８】
0003954427.tif 000039
【図３９】
0003954427.tif 000040
【図４０】
0003954427.tif 000041